(57)【特許請求の範囲】
【請求項１】
短辺枠棒間を掛け渡す上側掛渡棒及び下側掛渡棒を備える一対の矩形枠状の側枠部と、一方の前記側枠部の前記上側掛渡棒及び他方の前記側枠部の前記上側掛渡棒に対して、回動可能に両端に係止した一対の長枠棒部と、一方の前記側枠部の前記下側掛渡棒に回動可能に係止し、他方の前記側枠部の前記下側掛渡棒に係止可能な矩形状の底面部とから成る折り畳み式水切りラックであって、
前記底面部の前記他方の下側掛渡棒側の端部は、側面逆Ｕ字状に上方へ湾曲して引掛部が形成され、該引掛部の先端は、前記下側掛渡棒に平行する係止棒を介して連結されており、前記引掛部を前記下側掛渡棒に対して引っ掛けて係止することを特徴とする折り畳み式水切りラック。
【請求項２】
前記底面部は上下に平行する一対の上長辺棒と下長辺棒とを有し、前記上長辺棒及び前記下長辺棒の間に、長辺同士を掛け渡す多数本の水切棒の端部を挟むように固定したことを特徴とする請求項１に記載の折り畳み式水切りラック。
【請求項３】
前記上長辺棒の一端を前記一方の下側掛渡棒に回動可能に係止し、前記上長辺棒の他端に設けた前記引掛部を前記他方の側枠部の前記下側掛渡棒に対して係止可能にし、
前記下長辺棒の両端は、水平方向外側に直角に曲げられて屈曲部を備えていることを特徴とする請求項２に記載の折り畳み式水切りラック。
【請求項４】
前記屈曲部が前記短辺枠棒に当接して規制されることで、前記側枠部が所定角に外側に傾斜する状態で固定されることを特徴とする請求項３に記載の折り畳み式水切りラック。
【請求項５】
一端側及び中間付近を、前記他方の上側掛渡棒及び下側掛渡棒に取り付け、他端側を屈曲している抑え棒を前記他方の側枠部に設けたことを特徴とする請求項１〜４の何れか１項に記載の折り畳み式水切りラック。
【請求項６】
前記他方の側枠部の下側掛渡棒の両端側には、前記短辺枠棒と平行であって、前記他方の側枠部の下側掛渡棒から前記他方の側枠部の下長辺枠棒に掛け渡すスライド棒が固定されていることを特徴とする請求項１〜５の何れか１項に記載の折り畳み式水切りラック。
【発明の詳細な説明】
【技術分野】
【０００１】
本発明は、台所等に設置し、洗浄した食器等の水切りをする金属製の折り畳み式水切りラックに関するものである。
【背景技術】
【０００２】
台所に設置し、洗浄した食器等の水切りを行うために、金属棒を組立てて成る水切りラックは、一般的な構造として箱形状をしており、空気の通りが良く、水切りを良くするように金属棒の間隔をあけている。この種の水切りラックは嵩張るために、運搬時や不使用時に折り畳みが可能な折り畳み式のものが存在する。
【０００３】
特許文献１には、折り畳み可能な水切りラックであって、長方形の底板の各辺に連結する側面板を起立させることで、組立可能な水切りラックが開示されている。
【０００４】
特許文献１の水切りラックは、最初に底板の短辺に連結した一対の短側面を起立させ、続いて底板の長辺に連結した一対の長側面を起立させる。そして、短側面の角部に設けた環状部材に、長側面の角部に設けた鉤状部材を引っ掛けることで固定することにより、組立てた状態となる。
【先行技術文献】
【特許文献】
【０００５】
【特許文献１】特開２００４−４１６６４号公報
【発明の概要】
【発明が解決しようとする課題】
【０００６】
しかし、特許文献１の従来の折り畳み式水切りラックは、一対の短側面の起立した状態を維持したまま、長側面を起立しなければならず、両手だけで素早く組立てることができないという問題がある。
【０００７】
また、狭い台所において組立てる際に、台所面に対して底板の長辺方向の作業以外に、底板の短辺方向に対して十分に作業するだけのスペースを確保する必要がある。
【０００８】
本発明の目的は、上述の課題を解消し、狭い場所であっても簡便に組立て得る金属製の折り畳み式水切りラックを提供することにある。
【課題を解決するための手段】
【０００９】
上記目的を達成するための本発明に係る折り畳み式水切りラックは、短辺枠棒間を掛け渡す上側掛渡棒及び下側掛渡棒を備える一対の矩形枠状の側枠部と、一方の前記側枠部の前記上側掛渡棒及び他方の前記側枠部の前記上側掛渡棒に対して、回動可能に両端に係止した一対の長枠棒部と、一方の前記側枠部の前記下側掛渡棒に回動可能に係止し、他方の前記側枠部の前記下側掛渡棒に係止可能な矩形状の底面部とから成る折り畳み式水切りラックであって、前記底面部の前記他方の下側掛渡棒側の端部は、側面逆Ｕ字状に上方へ湾曲して引掛部が形成され、該引掛部の先端は、前記下側掛渡棒に平行する接続棒を介して連結されており、前記引掛部を前記下側掛渡棒に対して引っ掛けて係止することを特徴とする。
【発明の効果】
【００１０】
本発明に係る折り畳み式水切りラックは、一方の側枠部を起立させた後に、他方の側枠部を起立させて、この他方の側枠部に底面部を係止させるだけで簡便に組立てることができる。組立てと逆の手順で作業をすることで、簡単に折り畳むこともできる。
【００１１】
また、組み立てた状態で、水平方向から衝撃を受けたとしても、不時に折り畳まれることがない。
【図面の簡単な説明】
【００１２】
【図１】組立てた状態の折り畳み式水切りラックの斜視図である。
【図２】側枠部近傍の拡大斜視図である。
【図３】組立て手順の説明図である。
【図４】折り畳んだ状態の斜視図である。
【図５】組立て途中の斜視図である。
【発明を実施するための形態】
【００１３】
本発明を図示の実施例に基づいて詳細に説明する。
図１は折り畳み式水切りラックの斜視図、図２は側枠部近傍を図１の反対側から見た拡大斜視図であり、折り畳み式水切りラック１はアルミニウムやステンレス等の直径２．５〜５ｍｍの金属棒体を適宜に折曲、溶接して組合わせて成っている。折り畳み式水切りラック１の組立時の大きさは、縦２０ｃｍ、横３０ｃｍ、高さ１０ｃｍ程度であり、台所のスペースに応じて、適宜のサイズのものを用意することができる。
【００１４】
折り畳み式水切りラック１は、両側の一対の矩形枠状の側枠部２、３と、これらの側枠部２、３を回動可能に両端に係止した一対の長枠棒部４と、側枠部３に回動可能に固定し、側枠部２に係止可能な矩形状の底面部５とから構成されている。
【００１５】
図１に示すように、折り畳み式水切りラック１を組立てた状態では、側枠部２、３は側面から見て逆八字状になるように対向して起立しており、側枠部２、３はそれぞれ主として、上長辺枠部２ａ、３ａ、下長辺枠棒２ｂ、３ｂ、両側の短辺枠棒２ｃ、３ｃから成っている。
【００１６】
側枠部２、３の上下方向の短辺枠棒２ｃ、３ｃ間をそれぞれ固定して掛け渡す上側掛渡棒２ｄ、３ｄと、これらの上側掛渡棒２ｄ、３ｄと平行する下側掛渡棒２ｅ、３ｅとが設けられている。
【００１７】
更に、側枠部２の下側掛渡棒２ｅの両端側には、短辺枠棒２ｃと平行であって、下側掛渡棒２ｅから下長辺枠棒２ｂに掛け渡す一対のスライド棒２ｆが固定されている。なお、本実施例においては、下側掛渡棒２ｅの両端側に一対のスライド棒２ｆを設けているが、下側掛渡棒２ｅの中央に１本のスライド棒２ｆ、又は下側掛渡棒２ｅに３本以上のスライド棒２ｆを設けるようにしてもよい。
【００１８】
また、上側掛渡棒２ｄの両端には、上側掛渡棒２ｄから下長辺枠棒２ｂの近傍に対して短辺枠棒２ｃと平行するように抑え棒２ｇが固定されている。この抑え棒２ｇの一端側及び中間付近は、上側掛渡棒２ｄ及び下側掛渡棒２ｅに取り付けられており、他端側である下端は斜め方向に屈曲している。
【００１９】
また、側枠部３においても、上側掛渡棒３ｄの両端と下側掛渡棒３ｅの両端の間を掛け渡す抑え棒３ｆが固定されている。
【００２０】
側枠部２、３同士を連結する長枠棒部４は、両側の長枠連結棒４ａ、４ｂから成り、これらの長枠連結棒４ａ、４ｂの両端はそれぞれ上側掛渡棒２ｄ、３ｄに回動自在に連結されている。つまり、長枠連結棒４ａ、４ｂの両先端は円形に巻回され、この巻回部に上側掛渡棒２ｄ、３ｄをそれぞれ挿通することで連結している。従って、長枠連結棒４ａ、４ｂの側枠部２、３側の両端は、上側掛渡棒２ｄ、３ｄから外れることなく回動可能に係止されている。
【００２１】
また、長枠連結棒４ａ、４ｂは一対の抑え棒２ｇ及び抑え棒３ｆの外側の上側掛渡棒２ｄ、３ｄに回動自在に連結されているので、長枠連結棒４ａ、４ｂの巻回部が抑え棒２ｇ及び抑え棒３ｆに塞き止められて内側方向へ移動することはない。
【００２２】
底面部５は、対向する一対の長辺部５ａ、５ｂと、これらの長辺部５ａ、５ｂ間を掛け渡す多数本の水切棒５ｃが等間隔に平行して設けられている。更に、長辺部５ａ、５ｂは、上下に平行する上長辺棒５ｄ、５ｅと下長辺棒５ｆ、５ｇとから成り、水切棒５ｃの端部はこれらの長辺棒５ｄ、５ｆ間と長辺棒５ｅ、５ｇ間に挟まれるようにして固定して配置されている。
【００２３】
上長辺棒５ｄ、５ｅの側枠部３側の端部は円状に巻回され、この巻回部内に側枠部３の下側掛渡棒３ｅがそれぞれ挿通されている。これらの上長辺棒５ｄ、５ｅの端部は、抑え棒３ｆの内側近傍の下側掛渡棒３ｅ挿通されており、従って、底面部５の側枠部３の短辺側は、下側掛渡棒３ｅから外れることなく、また下側掛渡棒３ｅに沿って摺動することなく、回動可能に係止されている。
【００２４】
下長辺棒５ｆ、５ｇの側枠部３側の端部は、水平方向外側に直角に曲げられて屈曲部５ｈ、５ｉとされている。そして、下長辺棒５ｆ、５ｇの先端が上長辺棒５ｄ、５ｅの先端より若干、手前側、つまり短くすることで、屈曲部５ｈ、５ｉが側枠部３の短辺枠棒３ｃに当接して規制されると、側枠部３が所定角に外側に傾斜する状態で固定される。
【００２５】
上長辺棒５ｄ、５ｅの側枠部２側の端部は側面逆Ｕ字状に上方へ湾曲して引掛部５ｊ、５ｋが形成され、これらの引掛部５ｊ、５ｋは下側掛渡棒２ｅに対し引っ掛け可能であると共に外すことが可能とされる。更に引掛部５ｊ、５ｋの先端は、下側掛渡棒２ｅに平行する係止棒５ｌを介して連結されている。
【００２６】
また、下長辺棒５ｆ、５ｇの側枠部２側の端部は、前述の側枠部３側の端部と同様に、水平で外側に直角に曲げられた屈曲部５ｍ、５ｎが形成されている。これらの屈曲部５ｍ、５ｎは、組み立てる際は短辺枠棒２ｃ下方を当接しながら摺動可能であり、下側掛渡棒２ｅによって上方への摺動は規制される。
【００２７】
また、配置した抑え棒２ｇにより、抑え棒２ｇと下側掛渡棒２ｅ間の間隙から屈曲部５ｍ、５ｎが外へ外れることもない。そして、図２に示すように屈曲部５ｍ、５ｎが側枠部２の短辺枠棒２ｃに当接して規制されると、側枠部３側と同様に所定角に外側に傾斜する状態で固定される。
【００２８】
図３は折り畳み式水切りラック１の組立て手順の説明図であり、（ａ）は折り畳んだ平面状態であり、（ｂ）は側枠部３を起立した組立て途中の状態であり、（ｃ）は更に組立てが進んだ状態であり、（ｄ）は図１と同様に組立が完了した状態を示している。
【００２９】
図４は図３（ａ）と同様な折り畳んだ状態の斜視図である。平面状の折り畳み式水切りラック１は、右側の側枠部２上に長枠棒部４及び底面部５の一端が重なるように折り畳まれており、更に左側の長枠棒部４及び底面部５の他端の上に側枠部３が重なるように折り畳まれている。
【００３０】
図５は図３（ｂ）と同様の組立て途中の状態の斜視図である。組立てに際しては、先ず左側の側枠部３の上長辺枠部３ａを下長辺枠棒３ｂを軸にして引き起こす。側枠部３が起立すると、長枠連結棒４ａ、４ｂを介して側枠部２も起立し始める。側枠部２が起立を始めると、係止棒５ｌは一対のスライド棒２ｆ上に当接した状態で、スライド棒２ｆの下端から上端に移動する。同時に、屈曲部５ｍ、５ｎも短辺枠棒２ｃに当接した状態で、短辺枠棒２ｃの下端から上方に移動する。
【００３１】
次に、図３（ｃ）に示すように底面部５の係止棒５ｌをスライド棒２ｆ上をスライドさせた状態で摺動させることで、係止棒５ｌが下側掛渡棒２ｅを乗り越え可能な位置まで持ち上げる。
【００３２】
続いて、図３（ｄ）に示すように、係止棒５ｌが下側掛渡棒２ｅを乗り越え、係止棒５ｌを下方に移動させることで、一対の逆Ｕ字状湾曲状である引掛部５ｊ、５ｋ内に下側掛渡棒２ｅが収容され、図１に示すように組立てが完了する。
【００３３】
引掛部５ｊ、５ｋによって下側掛渡棒２ｅを引っ掛けて固定することで、折り畳み式水切りラック１はぐらつくことなく自立が可能となる。下長辺枠棒３ｂを軸にして側枠部３の起立を続けると、図３（ｃ）に示すように、係止棒５ｌが外側に所定角の状態で屈曲部５ｈ、５ｉが短辺枠棒３ｃに当接した状態で側枠部３は固定される。
【００３４】
また、折り畳み式水切りラックは水平方向からの衝撃を受けることが多いが、本実施例の折り畳み式水切りラック１は、水平方向からの衝撃を受けたとしても、引掛部５ｊ、５ｋが下側掛渡棒２ｅから外れることはなく、不時に折り畳まれるようなことはない。
【００３５】
折り畳む際には、逆の手順、つまり図３（ｄ）〜（ａ）の手順を行えばよい。このように、組立て、折り畳み作業が簡単であり、素早く組立て、折り畳むことが可能である。
【符号の説明】
【００３６】
１  折り畳み式水切りラック
２、３  側枠部
２ａ、３ａ  上長辺枠部
２ｂ、３ｂ  下長辺枠棒
２ｃ、３ｃ  短辺枠棒
２ｄ、３ｄ  上側掛渡棒
２ｅ、３ｅ  下側掛渡棒
２ｆ  スライド棒
２ｇ、３ｆ  抑え棒
４  長枠棒部
４ａ、４ｂ  長枠連結棒
５  底面部
５ａ、５ｂ  長辺部
５ｃ  水切棒
５ｄ、５ｅ  上長辺棒
５ｆ、５ｇ  下長辺棒
５ｈ、５ｉ、５ｍ、５ｎ  屈曲部
５ｊ、５ｋ  引掛部
５ｌ  係止棒
【図１】
0006527422.tif 000002
【図２】
0006527422.tif 000003
【図３】
0006527422.tif 000004
【図４】
0006527422.tif 000005
【図５】
0006527422.tif 000006